(57)【要約】【課題】メモリ送信機能付きファクシミリ装置において、メモリ送信予約時に該メモリ送信の予約取り消しを行う場合に、操作にとまどわず容易にメモリ送信予約の取り消しを行うことができるファクシミリ装置を提供する。【解決手段】メモリ送信予約がされたときに、該メモリ送信予約の取り消しガイダンスを表示手段１に表示することにより、表示された取り消しガイダンスに沿ってメモリ送信予約の取り消しをすることができ、マニュアルを調べる等の手間無く、容易に予約されたファイルを消去することができる。また、取り消しガイダンスを印字出力することにより、メモリ送信予約の取り消しを容易に行うことができる。さらに、取り消しキーを割り付けることにより、ワンタッチでメモリ送信予約の取り消しを行うことができる。【選択図】図１
2006320027.tif 000002
【特許請求の範囲】
【請求項１】
メモリ送信機能を有するファクシミリ装置において、
情報を入力する入力手段と、
該入力手段にメモリ送信予約が入力されると、該メモリ送信予約の取り消しガイダンスを表示する表示手段と、
を備えたことを特徴とするファクシミリ装置。
【請求項２】
メモリ送信機能を有するファクシミリ装置において、
情報を入力する入力手段と、
該入力手段にメモリ送信予約が入力されると、該メモリ送信予約の取り消しガイダンスを印字出力する印字出力手段と、
を備えたことを特徴とするファクシミリ装置。
【請求項３】
メモリ送信機能を有するファクシミリ装置において、
情報を入力する入力手段と、
該入力手段にメモリ送信予約が入力されると、該メモリ送信予約の取り消し用に操作キーの割付を行うキー割付手段と、
該キー割付手段により割り付けられた操作キーを操作することにより前記メモリ送信予約を取り消すメモリ送信予約取り消し手段と、
を備えたことを特徴とするファクシミリ装置。
【発明の詳細な説明】
【技術分野】
【０００１】
本発明は、メモリ送信機能を有するファクシミリ装置に係り、特にメモリ送信予約の取り消し操作に関する。
【背景技術】
【０００２】
従来、ファクシミリ装置には、原稿をセットして即時に送信する機能の他に、あらかじめ原稿を読み取らせメモリに記憶させておき、その後指定の時間にメモリから前記原稿を読み出して送信するメモリ送信機能を有するファクシミリ装置が多用されてきた。
【発明の開示】
【発明が解決しようとする課題】
【０００３】
しかしながら、上記従来のファクシミリ装置にあっては、メモリ送信の予約を取り消したくなった場合、その操作方法に不慣れであるため、取り消しができなかったり、操作に手間取ってしまう。
【０００４】
すなわち、ファクシミリの送信操作は、通常行う操作であるので慣れているが、メモリ送信の予約取り消しといった作業は通常行わないので、操作方法を知らなかったり、覚えていないことが多い。また、ファクシミリの送信時は、時間的制約がないので、マニュアルを探してから調べて送信作業をすることもできるが、メモリ送信の予約取り消しの場合には、ぐずぐずしていると送信されてしまうので速やかに取り消しを行わなければならない。
【０００５】
そこで本発明は、メモリ送信予約がされたとき、通常の待機表示に変えて、取り消しガイダンスを表示することで、マニュアルを探したり調べたりする手間も無く、容易にメモリ送信予約されたファイルを消去することができるファクシミリ装置を提供することを課題とする。
【０００６】
また、メモリ送信予約された情報を出力し、内容を確認させるとともに、その予約情報にメモリ予約の取り消し方法を印字出力することにより、容易にメモリ送信予約されたファイルを消去することを課題とする。
【０００７】
さらに、メモリ送信予約をしたときに、取り消し用に任意のキー割付を行い、そのキー操作により簡易に送信ファイルの取り消しを可能とすることを課題とする。
【課題を解決するための手段】
【０００８】
請求項１記載の発明は、上記課題を解決するため、メモリ送信機能を有するファクシミリ装置において、情報を入力する入力手段と、該入力手段にメモリ送信予約が入力されると該メモリ送信予約の取り消しガイダンスを表示する表示手段と、を備えたことを特徴とするものである。
【０００９】
請求項２記載の発明は、上記課題を解決するため、メモリ送信機能を有するファクシミリ装置において、情報を入力する入力手段と、該入力手段にメモリ送信予約が入力されると該メモリ送信予約の取り消しガイダンスを印字出力する印字出力手段と、を備えたことを特徴とするものである。
【００１０】
請求項３記載の発明は、上記課題を解決するため、メモリ送信機能を有するファクシミリ装置において、情報を入力する入力手段と、該入力手段にメモリ送信予約が入力されると該メモリ送信予約の取り消し用に操作キーの割付を行うキー割付手段と、該キー割付手段により割り付けられた操作キーを操作することにより前記メモリ送信予約を取り消すメモリ送信予約取り消し手段と、を備えたことを特徴とするものである。
【発明の効果】
【００１１】
請求項１記載の発明によれば、メモリ送信予約がされると、取り消しガイダンスを表示するので、表示された取り消しガイダンスに沿ってメモリ送信予約の取り消しをすることができ、マニュアルを調べる等の手間無く、容易に予約されたファイルを消去することができる。
【００１２】
請求項２記載の発明によれば、メモリ送信予約がされると、予約された蓄積結果情報を出力するとともに、取り消しガイダンスを印字するので、予約内容を確認することができるとともに、取り消しガイダンスに沿ってメモリ送信予約の取り消しをすることができ、マニュアルを調べる等の手間無く、容易に予約されたファイルを消去することができる。
【００１３】
請求項３記載の発明によれば、メモリ送信予約がされると、予約されたメモリ送信予約の取り消し用にキー割付をし、該キー操作によってメモリ送信予約を取り消すので、特別な操作をすることなくメモリ送信予約の取り消しを行うことができ、容易に予約されたファイルを消去することができる。
【発明を実施するための最良の形態】
【００１４】
以下、本発明の実施の形態について添付図面を参照しつつ説明する。
【００１５】
図１は、本発明に係るファクシミリ装置の概要を示すブロック図である。
【００１６】
図１に示すように、ファクシミリ装置は、操作表示部（入力手段、表示手段）１、スキャナ２、プロッタ（印字出力手段）３、画像メモリ４、ファイル管理部５、キャラクタジェネレータ６、通信制御部７、モデム８、網制御装置９、符号化復号化部１０、ＣＰＵ１１、ＲＯＭ１２、ＲＡＭ１３および電源制御部１４を備えている。
【００１７】
操作表示部１は、本システムを操作するための動作指令の入力および各種操作手順等が表示されるものである。スキャナ２は、原稿を所定の速度で搬送しながら、所定の解像度で画像情報を読み取るものである。プロッタ３は、記録紙を所定の速度で搬送しながら、画像情報を１ラインずつ記録紙に印字するためのものである。画像メモリ４は、画像情報を蓄積するものである。
【００１８】
網制御装置９は、公衆回線と本システムを接続し画像情報の受け渡しを行うためのものである。ＣＰＵ１１は、本システム全体を制御するものである。ＲＯＭ１２は、本システムを動作させるためのプログラムを記憶しているものであり、ＲＡＭ１３は、本システムの管理を行うためのデータを一時的に記憶しておくためのものである。
【００１９】
本発明の第１実施例の動作について、図２〜図５をもとに説明する。
【００２０】
図２は、時刻指定のメモリ送信予約処理を示す一例である。メモリ送信を行おうとする場合、送信オペレーションにて、宛先を入力し（ｓ１）、指定時刻を入力する（ｓ２）と、スキャナ２によって読み取られた原稿の情報がメモリ（ＲＡＭ１３）に蓄積され始める（ｓ３）。この後、メモリへの蓄積キャンセル有無の確認（ｓ４）と、蓄積終了の判定（ｓ５）が行われ、キャンセルされずに蓄積が終了した場合には、蓄積管理ファイルが作成される（ｓ６）。
【００２１】
蓄積管理ファイルを図３に示す。図３に示すように、蓄積管理ファイルは、ファイルNo. 毎に宛先、送信モード、発呼時刻等を有している。
【００２２】
蓄積管理ファイルの作成が終了し、待機状態に戻ると、待機表示監視制御を行う。待機表示監視制御の処理を図４に示す。図４に示すように、待機表示監視時には、上記の如く作成された、蓄積管理ファイルを検索し、現在メモリ送信予約が有るか否かを判断する（ｓ１１）。メモリ送信予約がされていない（蓄積管理ファイルが無い）時は、そのまま通常待機表示を行う（ｓ１２）。メモリ送信予約がされている（蓄積管理ファイルが存在する）場合は、待機表示に変えて、メモリ送信予約の取り消し（蓄積管理ファイルの消去）ガイダンスを表示する。
【００２３】
メモリ送信予約の取り消しガイダンスの表示例を図５に示す。図５では、予約取り消しガイダンスの例として、取り消しモードへの入り方を示しているが、蓄積管理ファイル消去フローに従った繰作を順に示すことも可能である。
【００２４】
次に、メモリ送信予約設定時に、メモリ送信予約情報のリストを出力し、該リストにメモリ送信予約の取り消しガイダンスも合わせて出力する処理について説明する。
【００２５】
取り消しガイダンスのリスト出力処理の例を第２実施例として図６に示す。
【００２６】
取り消しガイダンスのリスト出力処理の場合も第１実施例と同様に、蓄積管理ファイルの作成を行う。まず、メモリ送信を行おうとする場合に、送信オペレーションにて、宛先を入力し（ｓ２１）、指定時刻を入力する（ｓ２２）と、スキャナ２によって読み取られた原稿の情報がメモリ（ＲＡＭ１３）に蓄積され始める（ｓ２３）。この後、メモリへの蓄積キャンセル有無の確認（ｓ２４）と、蓄積終了の判定（ｓ２５）が行われる。
【００２７】
メモリ送信がキャンセルされずに蓄積が終了した場合には、メモリ送信予約情報リストが出力される（ｓ２６）。リスト内容は、宛先や、同報先、送信時刻、送信モードなどであるが、一般に蓄積管理ファイルに間違いが無いことの確認や、管理用に出力される。このとき同時に、メモリ送信予約の取り消しガイダンスが付記される。記載内容は、図５に示した取り消しガイダンス表示と同様のものや、ファイル消去手順の操作フロー等を印字する。
【００２８】
その後、蓄積管理ファイルが作成される（ｓ２７）。蓄積管理ファイルについては、上記第１実施例と同様のものである。
【００２９】
次に、更に簡易に、自分のメモリ送信予約の取り消しを行わせる処理について第３実施例として以下に説明する。上記第１、第２実施例では、予め用意された、メモリ送信予約の取り消しフローへの入り方や、操作を示すものであるが、ここでは、その操作もより手間無くできるようにしている。
【００３０】
まず図７に示すように、上記第１、第２実施例で示した図２および図６における原稿の情報の蓄積終了判定処理（ｓ５、ｓ２５）後に、メモリ送信予約の取り消しキー割付処理を付加する。メモリ送信予約の蓄積が終了したら、消去用に割付ける空きキーの検索を行う。
【００３１】
メモリ送信予約の取り消しキーの割り付け例を図８に示す。図８に示すように、空きキーは、簡易な管理情報を作成しておき、それを参照する。空きキーを見付けると、これを上記図３に示した蓄積管理ファイルの対応するファイルNo. の管理エリアに割り付けキーとして記憶しておく（ｓ３１）。次にどのキーが割付けられたかを、割り付けキーガイダンスとして表示し、オペレータに知らせる（ｓ３２）。割り付けキーガイダンス例を図９に示す。この表示は一定時間で消去するか、または表示したままでも良い。
【００３２】
次に、割り付けキーによるメモリ送信予約取り消し処理を図１０に示す。ここでは待機時にて、割り付けキーの操作を監視し（ｓ４１）、割り付けキーが押されたら図３に示した蓄積管理ファイルを検索する。有効ファイルに記憶されたキーに一致するか否かをチェックし（ｓ４２）、一致しなければキー押しは無視し、待機に戻る。ここで別の役割に割り付けられていれば、その動作を行う。一致すればそのメモリ送信予約の取り消し処理に移行する。ここで一旦確認の為に、その割り付けられた蓄積管理ファイルの情報（宛先、蓄積時間）等を表示（ｓ４３）し、オペレータに確認を促す。
【００３３】
メモリ送信予約の確認（ｓ４４）の結果、取り消しなら、蓄積管理ファイルの対応エリアのクリア（ｓ４５）、およびその画像データエリアの開放を行い（ｓ４６）、前記割り付けキーも開放する（ｓ４７）。メモリ送信予約の取り消しでなければ、待機に戻る。
【図面の簡単な説明】
【００３４】
【図１】本発明に係るファクシミリ装置の概要を示すブロック図である。
【図２】一実施例の時刻指定のメモリ送信予約処理を示すフローチャートである。
【図３】一実施例の蓄積管理ファイルを示す図である。
【図４】一実施例の待機表示監視制御の処理を示すフローチャートである。
【図５】メモリ送信予約の取り消しガイダンスの表示例を示す図である。
【図６】取り消しガイダンスのリスト出力処理を示すフローチャートである。
【図７】メモリ送信予約の取り消しキー割付処理を示すフローチャートである。
【図８】メモリ送信予約の取り消しキーの割り付け例を示す図である。
【図９】メモリ送信予約の取り消しキーの割り付けキーガイダンス例を示す図である。
【図１０】割り付けキーによるメモリ送信予約取り消し処理を示すフローチャートである。
【符号の説明】
【００３５】
１  操作表示部（入力手段、表示手段）
２  スキャナ
３  プロッタ（印字出力手段）
４  画像メモリ
５  ファイル管理部
６  キャラクタジェネレータ
７  通信制御部
８  モデム
９  網制御装置
１０  符号化復号化部
１１  ＣＰＵ
１２  ＲＯＭ
１３  ＲＡＭ
１４  電源制御部
【図１】
2006320027.tif 000003
【図２】
2006320027.tif 000004
【図３】
2006320027.tif 000005
【図４】
2006320027.tif 000006
【図５】
2006320027.tif 000007
【図６】
2006320027.tif 000008
【図７】
2006320027.tif 000009
【図８】
2006320027.tif 000010
【図９】
2006320027.tif 000011
【図１０】
2006320027.tif 000012